(57)【要約】【課題】  光ディスク装置が、間欠記録動作により光ディスクへの記録をする場合において、稼動状態の途中や待機状態の途中に温度が変化することによる記録品質の劣化を防ぐ。【解決手段】  光ディスク装置に温度検出手段を設け、学習処理手段により最適記録条件を学習した後の第１の検出温度と学習処理手段にて最適記録条件を学習した時の第２の検出温度の温度差が設定値を超えるか否かを判定する学習要否判定手段と、間欠記録動作期間にて前記バッファメモリに蓄積された映像音声データが所定値以下であるかを判定する学習可否判定手段とを設ける。学習要否判定手段にて再学習要と判定し、かつ、学習可否判定手段にて前記映像音声データ蓄積量が所定値以下と判定した場合、学習処理手段による最適記録条件の再学習を行う。【選択図】  図２
2010055682.tif 000002
【特許請求の範囲】
【請求項１】
光ディスクを回転させるスピンドルモータと、
温度検出手段を有し、前記光ディスクにレーザ光にて記録再生を行う光ヘッドと、
映像音声データを蓄積するバッファメモリ手段と、
前記スピンドルモータの回転制御及びまたは前記光ヘッドの駆動制御を行う駆動制御手段と、
前記駆動制御手段を停止して前記バッファメモリ手段に映像音声データを第２の所定値から第１の所定値（第１の所定値＞第２の所定値）の範囲で蓄積する待機期間と、前記駆動制御手段を稼動して前記バッファメモリ手段に蓄積された前記映像音声データを前記光ヘッドを用いて前記光ディスクに記録する稼動期間とを有する間欠記録制御手段と、
前記レーザ光及びまたは前記駆動制御手段の最適記録条件を学習する学習処理手段と、
前記学習処理手段により最適記録条件を学習した後に前記温度検出手段にて検出された第１の温度と、前記学習処理手段により最適記録条件を学習するときに前記温度検出手段にて検出された第２の温度との温度差が設定値を超えるか否かに基づいて、前記学習処理手段による最適記録条件再学習の要否を判定する学習要否判定手段と、
前記待機期間あるいは前記稼動期間における前記バッファメモリに蓄積された映像音声データが第３の所定値以下（第１の所定値＞第３の所定値＞第２の所定値）であるかを判定する学習可否判定手段と、
前記学習要否判定手段が再学習要と判定し、かつ、前記学習可否判定手段が前記映像音声データ蓄積量が前記第３の所定値以下と判定した場合に、前記駆動制御手段を稼動して前記学習処理手段による前記最適記録条件の再学習を行うとともに、前記再学習期間中は前記バッファメモリ手段に前記映像音声データを蓄積し、前記再学習期間終了後は前記待機期間とする制御手段と、  
を備えることを特徴とする光ディスク装置。
【請求項２】
光ディスクを回転させるスピンドルモータと、
温度検出手段を有し、前記光ディスクにレーザ光にて記録再生を行う光ヘッドと、
映像音声データを蓄積するバッファメモリ手段と、
前記スピンドルモータの回転制御及びまたは前記光ヘッドの駆動制御を行う駆動制御手段と、
前記駆動制御手段を停止して前記バッファメモリ手段に映像音声データを第２の所定値から第１の所定値１（第１の所定値＞第２の所定値）の範囲で蓄積する待機期間と、前記駆動制御手段を稼動して前記バッファメモリ手段に蓄積された前記映像音声データを前記光ヘッドを用いて前記光ディスクに記録する稼動期間とを有する間欠記録制御手段と、
前記レーザ光及びまたは前記駆動制御手段の最適記録条件を学習する学習処理手段と、
前記学習処理手段により最適記録条件を学習した後に前記温度検出手段にて検出された第１の温度と、前記学習処理手段により最適記録条件を学習するときに前記温度検出手段にて検出された第２の温度ととの温度差が設定値を超えるか否かに基づいて、前記学習処理手段による最適記録条件再学習の要否を判定する学習要否判定手段と、
前記待機期間あるいは前記稼動期間における前記バッファメモリ手段に蓄積された映像音声データが、第３の所定値以下（第１の所定値＞第３の所定値＞第２の所定値）であるかを判定する学習可否判定手段と、
前記学習要否判定手段が再学習要と判定し、かつ、前記学習可否判定手段が前記映像音声データ蓄積量が所定値３以下と判定した場合、前記駆動制御手段を稼動して前記学習処理手段による最適記録条件の再学習を行うとともに、前記再学習期間中は前記バッファメモリ手段に前記映像音声データを蓄積し、前記再学習期間終了後は前記稼動期間とする制御手段と、
を備えることを特徴とした光ディスク装置。
【発明の詳細な説明】
【技術分野】
【０００１】
本発明は、間欠的に記録動作を行う光ディスク装置に係り、特に、温度変化があった場合の記録の品質を確保する技術に関する。
【背景技術】
【０００２】
近年、Digital Versatile Disc（DVD）やBlu-ray Disc（BD）といった大容量の光ディスクを記録媒体とするビデオカメラやビデオレコーダ等の記録再生装置が出現しており、特に、ビデオカメラ等においては、バッテリーで駆動されるケースが多く、長時間使用を可能とする為、ビデオカメラ内に搭載する光ディスクドライブの消費電力低減が重要なテーマとなっている。
【０００３】
このような光ディスクドライブの消費電力低減を行う従来技術として、映像音声データを一時的に記憶することができるバッファメモリを設け、光ディスクへの記録レートが映像音声の符号化レートよりも十分に速いことを利用して、バッファメモリ中の映像音声データ量が第一の所定容量まで蓄積している間は光ディスクへの記録動作を停止し、第一の所定容量に達した時点で光ディスクへの記録動作を開始して、バッファメモリ中の映像音声データ量が第二の所定容量まで減少した時点で光ディスクへの記録動作を再び停止する間欠記録動作が知られている。
【０００４】
この間欠記録動作においては、光ディスクへの記録動作が停止している期間は、例えばスピンドルモータ及びスピンドルモータ制御回路、光ヘッド及び光ヘッド制御回路等の動作を停止する等の方法を用いて、光ディスクドライブの消費電力低減を実現している。なお、ここで、光ディスクへの記録動作が停止している期間を待機状態、光ディスクへの記録動作を実行している期間を稼動状態と呼ぶ。
【０００５】
その一方で、光ディスクドライブは、温度のばらつきや光ディスクの状態等による影響を受けやすい。従って、光ディスクに記録を行うレーザの出力パワーに対しては、光ディスクへの記録に先立って光ディスク上の特定領域にレーザ光の出力条件を変えつつ記録を行ってその再生信号のデータエラー率から記録の最適条件を検出し、光ヘッド制御回路に対しては、設定する制御値によりフォーカス位置やトラッキング位置を少しずつずらして光ディスク上の特定領域にあらかじめ書き込んだテストデータの読み出しを行ってその再生信号のデータエラー率から光ヘッド制御の最適条件をその都度見出すといった学習処理動作を行っている。
【０００６】
従来、まずユーザから記録開始の要求があった時点、つまり間欠記録動作を開始する契機に学習処理動作を行い、それ以降は、間欠記録動作の稼動状態から待機状態へ遷移するタイミングで、学習処理動作を実行することが知られている。また、周囲温度条件に応じて学習処理動作を行う例として、温度センサ等を利用して温度変化を監視し、前回学習処理動作実行時と比較して温度差が所定の値以上であったと判定した場合に学習処理動作を再実行するようにしている（例えば、特許文献１参照）。
【０００７】
【特許文献１】特開２００２−７４６９４号公報
【発明の開示】
【発明が解決しようとする課題】
【０００８】
しかしながら、上記従来技術では、間欠記録動作の稼動状態あるいは待機状態において大きな温度変化が発生した場合については、特段の考慮がなされていなかった。しかし、近年、ビデオカメラの高画質化とともに、撮像素子やコーディックLSI等の発熱が増大し、映像音声データの一時記憶領域となるバッファメモリが大容量化も進んでいる。従って、例えば、ビデオカメラ等を高温な環境下で使用する場合においては、稼動状態にて光ディスクへの記録中に急激な温度上昇が発生する事が想定される。また、バッファメモリの大容量化に伴って、待機状態となる時間が長くなっており、その間に著しい温度低下が発生する事も想定される。このような、稼動状態あるいは待機状態に温度変化が発生した場合については学習処理動作を実行する契機が無い為、前回学習した不適切な学習結果が記録に用いられ、記録品質を確保できなくなる課題がある。
【０００９】
本発明の目的は、間欠記録動作の稼動状態あるいは待機状態における温度変化に係らず記録品質を確保できる光ディスク装置を提供することにある。
【課題を解決するための手段】
【００１０】
本発明にかかる光ディスク装置は、温度検出手段を設け、学習処理手段により最適記録条件を学習した後に温度検出手段にて検出された第１の温度と学習処理手段により最適記録条件を学習するときに温度検出手段にて検出された第２の温度ととの温度差が設定値を超えるか否かに基づいて、学習処理手段による最適記録条件の再学習の要否を判定する学習要否判定手段と、間欠記録動作期間においてバッファメモリに蓄積された映像音声データが所定値以下であるかを判定する学習可否判定手段とを設ける。学習要否判定手段が再学習要と判定し、かつ、学習可否判定手段が前記映像音声データ蓄積量が所定値以下と判定した場合、学習処理手段による最適記録条件の再学習を行う。
【発明の効果】
【００１１】
本発明によれば、間欠記録動作の稼動状態あるいは待機状態における温度変化に係らず、記録品質を確保できる光ディスク装置を提供することができる。
【発明を実施するための最良の形態】
【００１２】
以下、本発明の実施の形態を、図面を用いて説明する。
【実施例１】
【００１３】
図１は本発明の光ディスク装置を適用したビデオカメラの一実施形態の構成を示すブロック図である。１は光ディスク、２はスピンドルモータ、３はスピンドルモータ制御回路、４は光ヘッド部、５は光ヘッド制御回路、６は温度センサ、７はドライブコントローラ、８はメモリ、９は信号処理手段、１０はパケットインターフェイス（ＩＦ）回路、１１はバッファメモリ、１２はシステムコントローラ、１３は記録釦、１４は圧縮伸張回路、１５はマイク、１６は撮像回路である。ここで、１〜９までを光ディスク装置１７、１０〜１６までを信号記録再生装置１８と呼ぶ。
【００１４】
スピンドルモータ２は、スピンドルモータ制御回路３により、光ディスク１を所定の回転速度で回転するように制御される。光ヘッド部４は光ヘッド制御回路５により、光ディスク１のフォーカス方向及びトラッキング方向に移動可能な構造となっている。信号処理手段９は、光ディスク１に記録するデジタルデータを光ディスク１の特性に適した記録データに変換し、光ヘッド部４を経由して光ディスク１に記録を行う構成となっている。
【００１５】
一方、圧縮伸張回路１４は、記録時には撮像回路１６で撮像された被写体の映像信号およびマイク１５で集音された音声信号を信号の冗長性や人間の視覚聴覚の特性を利用することによりデータ圧縮を行って光ディスク１に格納するデータ量を縮減し、再生時には圧縮されているデジタルデータを伸張して元の映像および音声信号に戻す処理を行う。
【００１６】
次に、バッファメモリ１１を用いた間欠記録動作及び学習処理動作について説明する。
【００１７】
電源をオンされただけの停止状態では、スピンドルモータ２、スピンドルモータ制御回路３、光ヘッド部４、光ヘッド制御回路５は動作しておらず、低消費電力状態となっている。ここで、システムコントローラ１２は、接続されている記録釦１３が押されると、パケットＩＦ回路１０を経由してドライブコントローラ７に対して間欠記録動作への遷移命令の発行を行う。
【００１８】
ドライブコントローラ７は、システムコントローラ１２から発行された間欠記録動作への遷移命令を受信すると、即座に、スピンドルモータ制御回路３と光ヘッド制御回路５を動かしスピンドルモータ２と光ヘッド部４を制御して光ディスクへの記録が可能な状態へと遷移させ、温度センサ６により現在の温度を取得して、取得された現在の温度とメモリ８に保存された過去の記録に関わる学習処理動作終了時点の温度が、学習処理動作の実行を必要とする温度差であるかどうかの学習要否判定動作を行う。
【００１９】
ここで、学習処理動作の実行を必要としないと判定した場合には、判定動作終了後、ドライブコントローラ７は、スピンドルモータ制御回路３と光ヘッド制御回路５及びスピンドルモータ２と光ヘッド部４の動作を止め、システムコントローラ１２はバッファメモリ１１内のデジタルデータ量を確認する。
【００２０】
一方、学習処理動作の実行が必要であると判定した場合には、学習処理動作を実行後、ドライブコントローラ７は、スピンドルモータ制御回路３と光ヘッド制御回路５及びスピンドルモータ２と光ヘッド部４の動作を止め、システムコントローラ１２はバッファメモリ１１内のデジタルデータ量を確認する。
【００２１】
次に、間欠記録動作における、バッファメモリ１１内のデジタルデータ量と光ディスクへの記録を行う稼動状態への切替タイミング、光ディスクへの記録を停止する待機状態への切替タイミングの関係について述べる。
【００２２】
システムコントローラ１２は、撮像回路１６で撮像された映像信号、およびマイク１５で集音された音声信号を圧縮伸張回路１４に入力し、圧縮伸張回路１４で圧縮されたデジタルデータを、バッファメモリメモリ１１に蓄積していく。
【００２３】
その後、バッファメモリ１１のデジタルデータ蓄積量が予め設定してある所定値１を上回ると、ドライブコントローラ７に対してパケットＩＦ回路１０を経由して稼動状態への遷移命令を発行し、バッファメモリ１１内のデジタルデータを順次取り出しパケットＩＦ回路１０を経由して、光ディスク装置１７に送り込み、信号処理手段９を経由してデジタルデータを記録データに変換し光ディスク１に記録する記録動作を行う。
【００２４】
その後、バッファメモリ１１のデジタルデータ蓄積量が予め設定してある所定値２を下回ると、デジタルデータの送信を終了すると共に、パケットＩＦ回路１０を経由して、ドライブコントローラ７に対して待機状態への遷移命令を発行し、光ディスクへの記録動作を停止して待機状態にする。ここで、ドライブコントローラ７は、稼動状態から待機状態へ遷移する際に、温度センサ６により現在の温度を取得し、取得された現在の温度とメモリ８に保存された過去の記録に関わる学習処理動作終了時点の温度とが、学習処理動作の実行を必要とする温度差であるかどうかの学習要否判定動作を行う。ドライブコントローラ７は、学習処理動作の実行を必要としないと判定した場合には、判定動作終了後、即座にスピンドルモータ制御回路３と光ヘッド制御回路５及びスピンドルモータ２と光ヘッド部４の動作を止めて、消費電力の低減を図る。
【００２５】
また、ドライブコントローラ７は、上記学習要否判定動作により学習処理動作の実行が必要であると判定した場合には、光ディスク上の特定領域にレーザ光の出力条件を変えつつ記録を行ってその再生信号のデータエラー率から記録パワーの最適条件を検出する。更に光ヘッド制御回路に設定する制御値によりフォーカス位置やトラッキング位置を少しずつずらして光ディスク上の特定領域にあらかじめ書き込んだテストデータの読み出しを行ってその再生信号のデータエラー率から光ヘッド制御の最適条件を検出する学習処理動作を実行後、スピンドルモータ制御回路３と光ヘッド制御回路５及びスピンドルモータ２と光ヘッド部４の動作を止めて、消費電力の低減を図る。
【００２６】
以降、バッファメモリ１１のデジタルデータ蓄積量が所定値１を上回ると稼動状態とし記録データを記録する記録動作を行い、記録動作により所定値２を下回ると待機状態とするように間欠記録動作を行う。以上の間欠記録動作は、ユーザが記録釦１３を再度押すまで繰り返される。
【００２７】
ここで、実施例１について、図２〜３を用いて詳細に説明する。
【００２８】
図２は、間欠記録動作の待機状態にて学習処理動作が必要と判定される温度変化が発生した場合であり、図２（ａ）は、間欠記録動作中における温度変化、図２（ｂ）は、間欠記録動作中におけるバッファメモリ１１のデジタルデータ蓄積量の変化、図２（ｃ）は、間欠記録動作中におけるドライブコントローラ７の動作のタイミングチャートを示す。また、図３は、間欠記録動作の稼動状態にて学習必要と判定される温度変化が発生した場合であり、図３（ａ）は、間欠記録動作中における温度変化、図３（ｂ）は、間欠記録動作中におけるバッファメモリ１１のデジタルデータ蓄積量の変化、図３（ｃ）は、間欠記録動作中におけるドライブコントローラ７の動作のタイミングチャートを示す。
【００２９】
以下、図２に示す間欠記録動作の待機状態において、システムコントローラ１２は、デジタルデータをバッファメモリメモリ１１に蓄積を行うのと同時に、パケットＩＦ回路１０を経由して学習処理動作の実行要否を問い合わせる命令を定期的に発行する。一方、ドライブコントローラ７は、システムコントローラ１２から発行された学習処理動作の実行要否を問い合わせる命令を受信すると、温度センサ６により現在の温度を取得し、取得された現在の温度とメモリ８に保存された先の学習処理動作終了時点の温度との差が、学習処理動作の実行を必要とする温度差であるかどうかの学習要否判定動作を行い、学習処理動作の実行要否結果を、パケットＩＦ回路１０を経由して、システムコントローラ１２に通知する。
【００３０】
システムコントローラ１２は、上記に従い、学習処理動作の実行要否を問い合わせた結果、図２（ａ）に示すようにドライブコントローラ７より学習処理動作の実行が必要であると通知を受けた場合には、さらに、バッファメモリ１１のデジタルデータ蓄積量が予め設定してある所定値３を下回っているかの学習可否判定動作を実施する。この時、図２（ｂ）に示すようにバッファメモリ１１のデジタルデータ蓄積量が所定値３を下回っている場合には、図２（ｃ）に示すように、ドライブコントローラ７は、即座に、スピンドルモータ制御回路３と光ヘッド制御回路５を動かしスピンドルモータ２と光ヘッド部４を制御して光ディスク上の特定領域にレーザ光の出力条件を変えつつ記録を行ってその再生信号のデータエラー率から記録パワーの最適条件を検出する学習処理動作を実行する。
【００３１】
また、更に高精度の制御を行う場合には記録パワーの最適条件検出の前に光ヘッド制御回路に設定する制御値によりフォーカス位置やトラッキング位置を少しずつずらして光ディスク上の特定領域にあらかじめ書き込んだテストデータの読み出しを行ってその再生信号のデータエラー率から光ヘッド制御の最適条件を検出する学習処理動作を実行する。
【００３２】
学習処理動作を実行後、スピンドルモータ制御回路３と光ヘッド制御回路５及びスピンドルモータ２と光ヘッド部４の動作を止めて、再度、待機状態へ遷移する。
【００３３】
一方、図３に示す間欠記録動作の稼動状態において、システムコントローラ１２はバッファメモリ１１内のデジタルデータを順次取り出しパケットＩＦ回路１０を経由して、光ディスク装置１７に送り込み、信号処理手段９を経由してデジタルデータを記録データに変換し光ディスク１に記録する記録動作を行うのと同時に、パケットＩＦ回路１０を経由して学習処理動作の実行要否を問い合わせる命令を定期的に発行する。一方、ドライブコントローラ７は、システムコントローラ１２から発行された学習処理動作の実行要否を問い合わせる命令を受信すると、温度センサ６により現在の温度を取得し、取得された現在の温度とメモリ８に保存された先の学習処理動作終了時点の温度との差が、学習処理動作の実行を必要とする温度差であるかどうかの学習要否判定動作を行い、学習処理動作の実行要否結果を、パケットＩＦ回路１０を経由して、システムコントローラ１２に通知する。
【００３４】
システムコントローラ１２は、上記に従い、学習処理動作の実行要否を問い合わせた結果、図３（ａ）に示すようにドライブコントローラ７より学習処理動作の実行が必要であると通知を受けた場合には、さらに、バッファメモリ１１のデジタルデータ蓄積量が予め設定してある所定値３を下回っているかの学習可否判定動作を実施する。この時、図３（ｂ）に示すようにバッファメモリ１１のデジタルデータ蓄積量が所定値３を下回っている場合には、即座に、光ディスク１への記録動作を停止し、さらに、ドライブコントローラ７に対してパケットＩＦ回路１０を経由して待機状態への遷移命令を発行する。ドライブコントローラ７は、システムコントローラ１２から発行された待機状態への遷移命令を受信すると、図３（ｃ）に示すように稼動状態から待機状態へ遷移する前に、光ディスク上の特定領域にレーザ光の出力条件を変えつつ記録を行ってその再生信号のデータエラー率から記録パワーの最適条件を検出する学習処理動作を実行する。また、更に高精度の制御を行う場合には、記録パワーの最適条件検出の前に光ヘッド制御回路に設定する制御値によりフォーカス位置やトラッキング位置を少しずつずらして光ディスク上の特定領域にあらかじめ書き込んだテストデータの読み出しを行ってその再生信号のデータエラー率から光ヘッド制御の最適条件を検出する学習処理動作を実行する。スピンドルモータ制御回路３と光ヘッド制御回路５及びスピンドルモータ２と光ヘッド部４の動作を止めて、待機状態へ遷移させる。
【００３５】
なお、上記、学習可否判定動作に使用する所定値３は、その時点から学習処理動作を開始した場合においても、学習処理動作終了時までバッファメモリ１１のデジタルデータ蓄積量がバッファメモリ１１の最大容量を超えない値となるように設定する必要がある。
【００３６】
このように、間欠記録動作にて、光ディスクに記録していない待機状態である場合には、定期的に学習処理動作の実行要否を判定し、学習処理動作の実行が必要かつ可能な場合には、即座に、スピンドルモータ制御回路３と光ヘッド制御回路５及びスピンドルモータ２と光ヘッド部４を動かして、学習処理動作を実行した後、スピンドルモータ制御回路３と光ヘッド制御回路５及びスピンドルモータ２と光ヘッド部４を止める。一方、光ディスクに記録している稼動状態である場合には、定期的に学習処理動作の実行要否を判定し、学習処理動作の実行が必要かつ可能な場合には、即座に光ディスクへの記録を停止して学習処理動作を実行した後、スピンドルモータ制御回路３と光ヘッド制御回路５及びスピンドルモータ２と光ヘッド部４を止め待機状態へ遷移する。以上により、間欠記録動作のいかなる契機においても、温度変化が発生した場合には、学習処理動作を実行する事が可能となり、記録品質を向上させることが可能となる。
【００３７】
次に、上記間欠記録動作時の待機状態と稼動状態の遷移について図４を用いて説明する。図４は本発明による間欠記録動作のフローチャートである。なお、図４のフローチャートは、ユーザによる記録開始要求により間欠記録動作を開始した後の状態を開始点とし、全てのステップの実行と同時に、バッファメモリ１１に対してデジタルデータの蓄積が実行されているとしている。
ステップ４０１にて、ドライブコントローラ７がスピンドルモータ制御回路３、光ヘッド制御回路５及びスピンドルモータ２と光ヘッド部４の動作を停止する待機状態へと遷移する。
この後、ステップ４０２にて、システムコントロール１２は光ディスク装置１７に対し、学習処理の実行要否を問い合わせる命令を発行し、ドライブコントローラ７は、温度センサ６により取得された現在の温度とメモリ８に保存された先の学習処理動作終了時点の温度との差が、学習処理動作の実行を必要とする温度差であるかどうかの判定をする。学習処理動作の実行が必要ないと判断された場合はステップ４０３に進み、学習処理動作の実行が必要と判断された場合はステップ４０４に進む。
【００３８】
ステップ４０３にて、バッファメモリ１１に蓄積されているデジタルデータの蓄積量が所定値１を上回ったかどうかを判定し、上回った場合にはステップ４０７に進み、所定値１以下の場合はステップ４０２に戻る。一方、ステップ４０４にて、バッファメモリ１１に蓄積されているデジタルデータの蓄積量が所定値３を下回ったかどうかを判定し、下回った場合にはステップ４０５に進み、所定値３以上の場合はステップ４０２に戻り、学習処理動作の実行を必要とする温度差となるか、もしくは、ステップ４０３でデジタルデータの蓄積量が所定値１を上回るのを待つ。
【００３９】
ステップ４０５にて、光ディスクへの記録を行う稼動状態へと遷移させた後、ステップ４０６で学習処理動作を実行する。その後、ステップ４０１に戻り、待機状態へと遷移させる。
【００４０】
ステップ４０７にて、光ディスクへの記録可能な稼動状態とした後、ステップ４０８にてバッファメモリ１１に蓄積されているデジタルデータの光ディスク１への記録を開始する。この後、光ディスク１への記録を行いながら、ステップ４０９にて、システムコントロール１２は光ディスク装置１７に対し、学習処理動作の実行要否を問い合わせる命令を発行し、ドライブコントローラ７は、温度センサ６により取得された現在の温度とメモリ８に保存された先の学習処理動作終了時点の温度との差が、学習処理動作の実行を必要とする温度差であるかどうかの判定をする。学習処理動作の実行が必要ないと判断された場合は、ステップ４１０に進み、学習処理動作の実行が必要と判断された場合は、ステップ４１２に進む。
【００４１】
ステップ４１０にて、バッファメモリ１１に蓄積されているデジタルデータの蓄積量が所定値２を下回ったかどうかを判定し、下回った場合にはステップ４１１に進み、所定値２以上の場合はステップ４０９に戻る。
【００４２】
ステップ４１１にて、光ディスク１への記録を停止し、ステップ４０１に戻り光ディスク装置１７を待機状態とする。
【００４３】
一方、ステップ４１２にて、バッファメモリ１１に蓄積されているデジタルデータの蓄積量が所定値３を下回ったかどうかを判定し、下回った場合にはステップ４１３に進み、所定値３以上の場合はステップ４０９に戻り、学習処理動作の実行を必要とする温度差となるか、もしくはステップ４１０でデジタルデータの蓄積量が所定値２を下回るのを待つ。
【００４４】
ステップ４１３にて、光ディスク１への記録を停止し、ステップ４１４で学習処理動作を実行した後、ステップ４０１に戻り光ディスク装置１７を待機状態へと遷移させる。
【００４５】
以降、同様に待機状態、稼動状態を繰り返し、間欠記録動作を行う。また、間欠記録動作中に記録釦１３が押された場合には、稼動状態にしてバッファメモリ１１に蓄積されているデジタルデータを光ディスク１に記録後、停止状態に戻る。
【００４６】
以上、本実施の形態では撮像手段による映像信号の記録について説明したが、本発明はこれに限定されず、例えば撮像部を電波信号の受信回路等に置き換えることで他記録再生装置へ展開しても良い。
【実施例２】
【００４７】
次に実施例２について、図５〜６を用いて詳細に説明する。
【００４８】
図５は、間欠記録動作の待機状態にて学習処理動作が必要と判定される温度変化が発生した場合であり、図５（ａ）は、間欠記録動作中における温度変化、図５（ｂ）は、間欠記録動作中におけるバッファメモリ１１のデジタルデータ蓄積量の変化、図５（ｃ）は、間欠記録動作中におけるドライブコントローラ７の動作のタイミングチャートを示す。また、図６は、間欠記録動作の稼動状態にて学習処理動作が必要と判定される温度変化が発生した場合であり、図６（ａ）は、間欠記録動作中における温度変化、図６（ｂ）は、間欠記録動作中におけるバッファメモリ１１のデジタルデータ蓄積量の変化、図６（ｃ）は、間欠記録動作中におけるドライブコントローラ７の動作のタイミングチャートを示す。なお、実施例２における光ディスク装置１７及び信号記録再生装置１８は実施例１と同様の構成であり、その記録方法も実施例１と同様である。また、バッファメモリ１１を用いた間欠記録動作及び学習処理動作についても実施例１と同様である。
【００４９】
以下、図５に示す間欠記録動作の待機状態において、システムコントローラ１２はデジタルデータをバッファメモリメモリ１１に蓄積を行うのと同時に、パケットＩＦ回路１０を経由して学習処理動作の実行要否を問い合わせる命令を定期的に発行する。一方、ドライブコントローラ７は、システムコントローラ１２から発行された学習処理動作の実行要否を問い合わせる命令を受信すると、温度センサ６により現在の温度を取得し、取得された現在の温度とメモリ８に保存された先の学習処理動作終了時点の温度との差が、学習処理動作の実行を必要とする温度差であるかどうかの学習要否判定動作を行い、学習処理動作の実行要否結果を、パケットＩＦ回路１０を経由して、システムコントローラ１２に通知する。
【００５０】
システムコントローラ１２は、上記に従い、学習処理動作の実行要否を問い合わせた結果、図５（ａ）に示すようにドライブコントローラ７より学習処理動作の実行が必要であると通知を受けた場合には、さらに、バッファメモリ１１のデジタルデータ蓄積量が予め設定してある所定値３を下回っているかの学習可否判定動作を実施する。この時、図５（ｂ）に示すようにバッファメモリ１１のデジタルデータ蓄積量が所定値３を下回っている場合には、図５（ｃ）に示すように、ドライブコントローラ７は即座に、スピンドルモータ制御回路３と光ヘッド制御回路５を動かしスピンドルモータ２と光ヘッド部４を制御して光ディスク上の特定領域にレーザ光の出力条件を変えつつ記録を行ってその再生信号のデータエラー率から記録パワーの最適条件を検出する学習処理動作を実行する。また、更に高精度の制御を行う場合には、記録パワーの最適条件検出の前に光ヘッド制御回路に設定する制御値によりフォーカス位置やトラッキング位置を少しずつずらして光ディスク上の特定領域にあらかじめ書き込んだテストデータの読み出しを行ってその再生信号のデータエラー率から光ヘッド制御の最適条件を検出する学習処理動作を実行する。
【００５１】
学習処理動作を実行後、システムコントローラ１２は、この時点までに蓄積されたバッファメモリ１１内のデジタルデータを順次取り出しパケットＩＦ回路１０を経由して、光ディスク装置１７に送り込み、信号処理手段９を経由してデジタルデータを記録データに変換し光ディスク１に記録する記録動作を行う。
【００５２】
一方、図６に示す間欠記録動作の稼動状態において、システムコントローラ１２はバッファメモリ１１内のデジタルデータを順次取り出しパケットＩＦ回路１０を経由して、光ディスク装置１７に送り込み、信号処理手段９を経由してデジタルデータを記録データに変換し光ディスク１に記録する記録動作を行うのと同時に、パケットＩＦ回路１０を経由して学習処理動作の実行要否を問い合わせる命令を定期的に発行する。一方、ドライブコントローラ７は、システムコントローラ１２から発行された学習処理動作の実行要否を問い合わせる命令を受信すると、温度センサ６により現在の温度を取得し、取得された現在の温度とメモリ８に保存された先の学習処理動作終了時点の温度との差が、学習処理動作の実行を必要とする温度差であるかどうかの学習要否判定動作を行い、学習処理動作の実行要否結果を、パケットＩＦ回路１０を経由して、システムコントローラ１２に通知する。
【００５３】
システムコントローラ１２は、上記に従い、学習処理動作の実行要否を問い合わせた結果、図６（ａ）に示すようにドライブコントローラ７より学習処理動作の実行が必要であると通知を受けた場合には、さらに、バッファメモリ１１のデジタルデータ蓄積量が予め設定してある所定値３を下回っているかの学習可否判定動作を実施する。この時、図６（ｂ）に示すようにバッファメモリ１１のデジタルデータ蓄積量が所定値３を下回っている場合には、即座に、光ディスク１への記録動作を停止し、さらに、ドライブコントローラ７に対してパケットＩＦ回路１０を経由して学習実行命令を発行する。
【００５４】
ドライブコントローラ７は、システムコントローラ１２から発行された学習実行命令を受信すると、図６（ｃ）に示すように、光ディスク上の特定領域にレーザ光の出力条件を変えつつ記録を行ってその再生信号のデータエラー率から記録パワーの最適条件を検出する学習処理動作を実行する。また、更に高精度の制御を行う場合には、記録パワーの最適条件検出の前に光ヘッド制御回路に設定する制御値によりフォーカス位置やトラッキング位置を少しずつずらして光ディスク上の特定領域にあらかじめ書き込んだテストデータの読み出しを行ってその再生信号のデータエラー率から光ヘッド制御の最適条件を検出する学習処理動作を実行する。
【００５５】
学習処理動作を実行後、システムコントローラ１２は、この時点までに蓄積されたバッファメモリ１１内のデジタルデータを順次取り出しパケットＩＦ回路１０を経由して、光ディスク装置１７に送り込み、信号処理手段９を経由してデジタルデータを記録データに変換し光ディスク１に記録する記録動作を行う。
【００５６】
なお、上記、学習可否判定動作に使用する所定値３は、その時点から学習処理動作を開始した場合においても、学習処理動作終了時までバッファメモリ１１のデジタルデータ蓄積量がバッファメモリ１１の最大容量を超えない値となるように設定する必要がある。
【００５７】
このように、間欠記録動作にて、光ディスクに記録していない待機状態である場合には、定期的に学習処理動作の実行要否を判定し、学習処理動作の実行が必要かつ可能な場合には、即座に、スピンドルモータ制御回路３と光ヘッド制御回路５及びスピンドルモータ２と光ヘッド部４を動かして、学習処理動作を実行し、さらに、この時点までに蓄積されたバッファメモリ１１内のデジタルデータを順次取り出し光ディスク１へ記録データとして記録した後にスピンドルモータ制御回路３と光ヘッド制御回路５及びスピンドルモータ２と光ヘッド部４を止める。一方、光ディスクに記録している稼動状態である場合には、定期的に学習処理動作の実行要否を判定し、学習処理動作の実行が必要かつ可能な場合には、即座に、光ディスクへの記録を停止して学習処理動作を実行し、さらに、この時点までに蓄積されたバッファメモリ１１内のデジタルデータを光ディスクへ記録記録した後にスピンドルモータ制御回路３と光ヘッド制御回路５及びスピンドルモータ２と光ヘッド部４を止め待機状態へ遷移する。
【００５８】
以上により、間欠記録動作のいかなる契機においても、温度変化が発生した場合には、学習処理動作を実行する事が可能になるとともに、次にバッファメモリ１１のデジタルデータ蓄積量が所定値１を上回るまでの間は待機状態が長くなっているので、不要な電力を消費することが防止でき、さらなる消費電力の低減が可能となる。
【００５９】
以上、本実施の形態では撮像手段による映像信号の記録について説明したが、本発明はこれに限定されず、例えば撮像部を電波信号の受信回路等に置き換えることで他記録再生装置へ展開できる。
【００６０】
なお、間欠動作を行う光ディスク装置を例にして説明したが、本発明はこれに限定するものではなく、他の記録再生装置、例えば、ビデオレコーダ等にも適用しても良い。
【図面の簡単な説明】
【００６１】
【図１】本発明の光ディスク装置を適用したビデオカメラの一実施形態の構成を示すブロック図である。
【図２】実施例１にて待機状態の途中に温度変化が発生した場合の動作タイミングチャートである。
【図３】実施例１にて稼動状態の途中に温度変化が発生した場合の動作タイミングチャートである。
【図４】実施例１による間欠動作のフローチャートである。
【図５】実施例２にて待機状態の途中に温度変化が発生した場合の動作タイミングチャートである。
【図６】実施例２にて稼動状態の途中に温度変化が発生した場合の動作タイミングチャートである。
【符号の説明】
【００６２】
１…光ディスク、２…スピンドルモータ、３…スピンドルモータ制御回路、
４…光ヘッド、５…光ヘッド制御回路、６…温度センサ、７…ドライブコントローラ、
８…メモリ、９…信号処理手段、１０…パケットインターフェイス（ＩＦ）回路、
１１…バッファメモリ、１２…システムコントローラ、１３…記録釦、
１４…圧縮伸張回路、１５…マイク、１６…撮像回路、１７…光ディスク装置、
１８…信号記録再生装置
【図１】
2010055682.tif 000003
【図２】
2010055682.tif 000004
【図３】
2010055682.tif 000005
【図４】
2010055682.tif 000006
【図５】
2010055682.tif 000007
【図６】
2010055682.tif 000008